(57)【要約】【課題】通常のカレンダ等の情報以外に、臨場感ある立体画像も見ることができるカード立てを提供する。【解決手段】耳部１２を有し、表面に任意の情報１６と裏面に２つの立体表示用画像２０とが配置されたカード２２と、カード２２を支持する幕板２４と、幕板２４の側縁に連設された第１及び第２の側板２８、３０と、幕板２４の下縁に連設された底板３４と、底板３４の後縁に連設された背面板３８と、背面板３８と両側板２８、３０とを連結する係止突部４２及び係止孔４４と、両側板の頂部４８側に、カード２２の耳部１２を緩くはめ込む透孔５０を設けてなるカード２２吊下げ部と、底板３４に設けられた一対の覗き窓５４と、覗き窓５４に装着された一対の接眼レンズ５６と、第１及び第２の側板２８、３０に連設され、カード２２を底板３４に平行に位置決めするストッパ５８とを備えた。【選択図】図１
2005326533.tif 000002
【特許請求の範囲】
【請求項１】
両側にそれぞれ耳部を有し、表面に任意の情報が配置され、裏面に立体表示用画像が配置されたカードと、
前記カードよりも両側縁間の大きさが広い幕板と、
前記幕板の両側縁にそれぞれ連設され、前記幕板を支持する第１の側板及び第２の側板と、
前記幕板の下縁に連設され、前記第１の側板及び第２の側板の幅内に設置される底板と、
前記底板の後縁に連設され、前記幕板と一定間隔を置いて立設された背面板と、
前記背面板の両側縁にそれぞれ形成された係止突部と、
前記第１の側板及び第２の側板の所定位置に形成され、前記係止突部を挿入して前記背面板と前記第１の側板及び第２の側板とを連結する係止孔と、
前記第１の側板及び第２の側板の各頂部側に、前記カードの前記耳部を緩くはめ込むことができる大きさの透孔を設けてなるカード吊下げ部と、
前記底板に設けられた一対の覗き窓と、
前記覗き窓に装着された一対の接眼レンズと、
前記第１の側板及び第２の側板にそれぞれ連設され、前記カードを前記底板と平行に位置決めするストッパとを備えたことを特徴とするカード立て。
【請求項２】
請求項１記載のカード立てにおいて、
前記幕板の上縁に、切り欠きを設けたことを特徴とするカード立て。
【請求項３】
請求項１記載のカード立てにおいて、
前記ストッパは、前記第１の側板及び第２の側板に連設された突片部を、互いに向い合せに折り曲げてなるものであることを特徴とするカード立て。
【請求項４】
請求項１記載のカード立てにおいて、
前記背面板は、前記カードの耳部を前記カード吊下げ部の透孔にはめ込んだ状態で、背面板上縁とカード下縁とが係止し合うことなくカードを回動できる高さとされていることを特徴とするカード立て。
【請求項５】
表面に任意の情報が配置され、裏面に立体表示用画像が配置されたカードと、
前記カードよりも両側縁間の大きさが広い幕板と、
前記幕板の両側縁にそれぞれ連設され、前記幕板を支持する第１の側板及び第２の側板と、
前記幕板の下縁に連設され、前記第１の側板及び第２の側板に連結される底板と、
前記底板に設けられた一対の覗き窓と、
前記覗き窓に装着された一対の接眼レンズと、
前記第１の側板及び第２の側板にそれぞれ連設され、前記底板とほぼ平行な複数の折り目により形成され、前記カードの端を差し込む前記底板とほぼ平行な溝と、
前記カードを前記底板と平行に支持する直立支持板とを備えたことを特徴とするカード立て。
【請求項６】
請求項５に記載のカード立てにおいて、
前記底板の後縁に連設され、前記幕板と対向するように間隔を置いて立設された背面板と、
この背面板の端を折り曲げて形成したカード下支え板とを備え、
前記直立支持板の端に位置する枕縁と前記カード下支え板との間の長さは、前記カードの全長より短く選定されていることを特徴とするカード立て。
【請求項７】
表面に任意の情報が配置され、裏面に立体表示用画像が配置されたカードと、
前記カードよりも両側縁間の大きさが広い幕板と、
前記幕板の両側縁にそれぞれ連設され、前記幕板を支持する第１の側板及び第２の側板と、
前記幕板の下縁に連設され、前記第１の側板及び第２の側板に連結される底板と、
前記底板に設けられた一対の覗き窓と、
前記覗き窓に装着された一対の接眼レンズと、
前記第１の側板及び第２の側板にそれぞれ連設され、前記底板とほぼ直行する折り目を折って形成され、前記カードの端を差し込むスリットを持つＵ字アームを備えたことを特徴とするカード立て。
【請求項８】
請求項７に記載のカード立てにおいて、
前記底板の後縁に連設され、前記幕板と対向するように間隔を置いて立設された背面板と、
この背面板の端を折り曲げて形成したカード下支え板とを備え、
前記Ｕ字アーム端と前記カード下支え板との間の長さは、前記カードの全長より短く選定されていることを特徴とするカード立て。
【請求項９】
両側にそれぞれ耳部を有し、表面に任意の情報が配置され、裏面に立体表示用画像が配置されたカードと、
前記カードよりも両側縁間の大きさが広い幕板と、
前記幕板の両側縁にそれぞれ連設され、前記幕板を支持する第１の側板及び第２の側板と、
前記幕板の下縁に連設され、前記第１の側板及び第２の側板の幅内に設置される底板と、
前記底板の後縁に連設され、前記幕板と一定間隔を置いて立設された背面板と、
前記背面板の両側縁にそれぞれ形成された係止突部と、
前記第１の側板及び第２の側板の所定位置に形成され、前記係止突部を挿入して前記背面板と前記第１の側板及び第２の側板とを連結する係止孔と、
前記第１の側板及び第２の側板の各頂部側に、前記カードの前記耳部を緩くはめ込むことができる大きさの透孔を設けてなるカード吊下げ部と、
前記底板に設けられた一対の覗き窓と、
前記覗き窓に装着された一対の接眼レンズとを備えたことを特徴とするカード立て。
【請求項１０】
表面に任意の情報が配置され、裏面に立体表示用画像が配置されたカードと、
前記カードよりも両側縁間の大きさが広い幕板と、
前記幕板の両側縁にそれぞれ連設され、前記幕板を挟んで、カード収容部を形成する第１の側板及び第２の側板と、
前記幕板の下縁側に連設され、前記第１の側板及び第２の側板の幅内に設置される底板と、
前記底板に設けられた一対の覗き窓と、
前記覗き窓に装着された一対の接眼レンズと、
前記幕板の上端側に形成されて、
前記カードを前記底板に平行に立てる溝を備えたことを特徴とするカード立て。
【発明の詳細な説明】
【技術分野】
【０００１】
本発明は、カレンダ、インテリア写真等を収録した定型のカードを保持するのに使用され、立体画像ビュアー機能も備えたカード立てに関する。
【背景技術】
【０００２】
オフィスや家庭のデスクサイドや本棚を飾るものとして、写真立てやカード立てがある。例えば、卓上カレンダーは、オフィスや家庭に広く利用されている。最もよく知られている卓上カレンダーは、カード型のカレンダーを１枚ずつめくって使用するものである。このカードをカード立てに対して簡単に着脱できるようにしたものも紹介されている。（特許文献１参照）。
【特許文献１】特開２００３−１１２４９２号公報
【発明の開示】
【発明が解決しようとする課題】
【０００３】
従来の卓上カレンダーのようなカード立ては、紙を折り曲げてだれでも容易に組み立てることができ、軽くてコンパクトに包装できることから、販売促進用の商品として配布されることが多い。従って、カード立てやカードに各種の広告が印刷される。しかしながら、広告を印刷する面積が小さいためインパクトが小さいという難点があった。カードの表面にはカレンダーを印刷し、裏面には広告商品の写真を印刷するという方法もあるが、広告コストがかかる割りに、やはり、チラシやカタログに比べてインパクトが小さいという難点かあった。
【０００４】
本発明は、以上の点に着目してなされたもので、カード立てに立体写真を表示できるビュアー機能を付与し、商品を眺める楽しみを与え、例えば、ビルやマンション、インテリア空間やプロダクト製品について、臨場感ある立体画像を見せることができるカード立てを提供することを目的とする。
【課題を解決するための手段】
【０００５】
本発明の各実施例においては、それぞれ次のような構成により上記の課題を解決する。
〈構成１〉
両側にそれぞれ耳部を有し、表面に任意の情報が配置され、裏面に立体表示用画像が配置されたカードと、上記カードよりも両側縁間の大きさが広い幕板と、上記幕板の両側縁にそれぞれ連設され、上記幕板を支持する第１の側板及び第２の側板と、上記幕板の下縁に連設され、上記第１の側板及び第２の側板の幅内に設置される底板と、上記底板の後縁に連設され、上記幕板と一定間隔を置いて立設された背面板と、上記背面板の両側縁にそれぞれ形成された係止突部と、上記第１の側板及び第２の側板の所定位置に形成され、上記係止突部を挿入して上記背面板と上記第１の側板及び第２の側板とを連結する係止孔と、上記第１の側板及び第２の側板の各頂部側に、上記カードの上記耳部を緩くはめ込むことができる大きさの透孔を設けてなるカード吊下げ部と、上記底板に設けられた一対の覗き窓と、上記覗き窓に装着された一対の接眼レンズと、上記第１の側板及び第２の側板にそれぞれ連設され、上記カードを上記底板と平行に位置決めするストッパとを備えたことを特徴とするカード立て。
【０００６】
カードの表面には任意の情報、例えばカレンダやインテリア用写真等が印刷されている。また、カードの裏面には立体写真となる２つの立体表示用画像が貼り付けられている。２つの立体表示用画像は視点を水平に左右にシフトさせて撮影した２枚の写真である。これらの写真は、カード裏面上に、丁度上記一対の接眼レンズと等間隔に並べて配置され、一対の接眼レンズを通して見ることによって１つの立体画像に見える。
カード立てをインテリアとして使用するときは、カードの耳部が上側にある状態でカード立てを使用する。このとき、カード立ての底板は下になる。一方、カード裏面の立体写真となる２つの立体表示用画像を見るときは、カード立てを双眼鏡のように持って底板の接眼レンズから覗き込む。このとき、カードを回動し耳部が下側になるようにして底板と平行に立てる。なお、カードの裏面に、立体表示用の写真を固定するフォルダが設けられていてもよい。
【０００７】
〈構成２〉
構成１記載のカード立てにおいて、上記幕板の上縁に、切り欠きを設けたことを特徴とするカード立て。
【０００８】
カードを耳部が下側になるようにして底板と平行に立てて、切り欠き部分に指を添えると、カードを支持し易くなる。
【０００９】
〈構成３〉
構成１記載のカード立てにおいて、上記ストッパは、上記第１の側板及び第２の側板に連設された突片部を、互いに向い合せに折り曲げてなるものであることを特徴とするカード立て。
【００１０】
ストッパは、カードを底板に平行に保つ役割がある。立体写真を見るとき、カードは、ストッパと幕板上縁により、底板に平行に位置決めされ、安定した状態で立体写真を見ることができる。
【００１１】
〈構成４〉
構成１記載のカード立てにおいて、上記背面板は、上記カードの耳部を上記カード吊下げ部の透孔にはめ込んだ状態で、背面板上縁とカード下縁とが係止し合うことなくカードを回動できる高さとされていることを特徴とするカード立て。
【００１２】
カードをカード収納部に収めたり、立体写真を見るためにカード収納部側から底板と平行に立てる等の操作をスムーズに行うことができる。
【００１３】
〈構成５〉
表面に任意の情報が配置され、裏面に立体表示用画像が配置されたカードと、上記カードよりも両側縁間の大きさが広い幕板と、上記幕板の両側縁にそれぞれ連設され、上記幕板を支持する第１の側板及び第２の側板と、上記幕板の下縁に連設され、上記第１の側板及び第２の側板に連結される底板と、上記底板に設けられた一対の覗き窓と、上記覗き窓に装着された一対の接眼レンズと、上記第１の側板及び第２の側板にそれぞれ連設され、上記底板とほぼ平行な複数の折り目により形成され、上記カードの端を差し込む上記底板とほぼ平行な溝と、上記カードを上記底板と平行に支持する直立支持板とを備えたことを特徴とするカード立て。
【００１４】
この例では、カードは耳部を有しない。カードは、例えば、幕板裏面に立てかけられるだけで、カレンダ等に使用できる。カレンダ使用時のカード立てはきわめてシンプルな構造になる。底板の接眼レンズを利用するときは、カードの端を溝に差し込んで直立支持板で支えて立てる。１枚ずつ溝に差し込んで立体画像を楽しんでもよいし、まとめて溝に差し込んで見てもよい。１枚ずつの場合カードを差し込めば、透明フィルム型の立体画像を楽しめる。
【００１５】
〈構成６〉
構成５に記載のカード立てにおいて、上記底板の後縁に連設され、上記幕板と対向するように間隔を置いて立設された背面板と、この背面板の端を折り曲げて形成したカード下支え板とを備え、上記直立支持板の端に位置する枕縁と上記カード下支え板との間の長さは、上記カードの全長より短く選定されていることを特徴とするカード立て。
【００１６】
カードの表面に配置されたカレンダ等の情報を見るときは、カードを直立支持板の端に位置する枕縁とカード下支え板とで支える。従って、枕縁とカード下支え板との間の長さは、カードの全長より短く選定する。この例では、カードは耳部の無い、長方形で構わない。カードは一枚ずつばらばらにして自由に利用できる。
【００１７】
〈構成７〉
表面に任意の情報が配置され、裏面に立体表示用画像が配置されたカードと、上記カードよりも両側縁間の大きさが広い幕板と、上記幕板の両側縁にそれぞれ連設され、上記幕板を支持する第１の側板及び第２の側板と、上記幕板の下縁に連設され、上記第１の側板及び第２の側板に連結される底板と、上記底板に設けられた一対の覗き窓と、上記覗き窓に装着された一対の接眼レンズと、上記第１の側板及び第２の側板にそれぞれ連設され、上記底板とほぼ直行する折り目を折って形成され、上記カードの端を差し込むスリットを持つＵ字アームを備えたことを特徴とするカード立て。
【００１８】
この例でも、カードの端をスリットに差し込んで底板に平行に立てる。従って、カードは側板に吊される必要はない。
【００１９】
〈構成８〉
構成７に記載のカード立てにおいて、上記底板の後縁に連設され、上記幕板と対向するように間隔を置いて立設された背面板と、この背面板の端を折り曲げて形成したカード下支え板とを備え、上記Ｕ字アーム端と上記カード下支え板との間の長さは、上記カードの全長より短く選定されていることを特徴とするカード立て。
【００２０】
カードの表面に配置されたカレンダ等の情報を見るときは、Ｕ字アームの端とカード下支え板とで支える。従って、Ｕ字アームの端とカード下支え板との間の長さは、カードの全長より短く選定する。
【００２１】
〈構成９〉
両側にそれぞれ耳部を有し、表面に任意の情報が配置され、裏面に立体表示用画像が配置されたカードと、上記カードよりも両側縁間の大きさが広い幕板と、上記幕板の両側縁にそれぞれ連設され、上記幕板を支持する第１の側板及び第２の側板と、上記幕板の下縁に連設され、上記第１の側板及び第２の側板の幅内に設置される底板と、上記底板の後縁に連設され、上記幕板と一定間隔を置いて立設された背面板と、上記背面板の両側縁にそれぞれ形成された係止突部と、上記第１の側板及び第２の側板の所定位置に形成され、上記係止突部を挿入して上記背面板と上記第１の側板及び第２の側板とを連結する係止孔と、上記第１の側板及び第２の側板の各頂部側に、上記カードの上記耳部を緩くはめ込むことができる大きさの透孔を設けてなるカード吊下げ部と、上記底板に設けられた一対の覗き窓と、上記覗き窓に装着された一対の接眼レンズとを備えたことを特徴とするカード立て。
【００２２】
構成１のカード立てでストッパを省略しても、カードの耳部を掴むことにより、接眼レンズと立体表示用画像との距離を調整できる。故に、ストッパの分だけカード立ての構造を簡素化できる。
【００２３】
〈構成１０〉
表面に任意の情報が配置され、裏面に立体表示用画像が配置されたカードと、上記カードよりも両側縁間の大きさが広い幕板と、上記幕板の両側縁にそれぞれ連設され、上記幕板を挟んで、カード収容部を形成する第１の側板及び第２の側板と、上記幕板の下縁側に連設され、上記第１の側板及び第２の側板の幅内に設置される底板と、上記底板に設けられた一対の覗き窓と、上記覗き窓に装着された一対の接眼レンズと、上記幕板の上端側に形成されて、上記カードを上記底板に平行に立てる溝を備えたことを特徴とするカード立て。
【００２４】
カード立て全体をプラスチック成形等で製造すると、このような構造になる。
【発明を実施するための最良の形態】
【００２５】
以下、本発明の実施の形態を実施例により詳細に説明する。
【実施例１】
【００２６】
図１、図２は実施例１のカード立てを示し、図３は同カード立ての本体とカードとを分離して示している。図４は同カード立ての底面側から見た状態を示し、図５は同カード立ての側面を示している。図６は同カード立て本体の展開平面図である。
【００２７】
これらの図に示すように、実施例１のカード立ては、カード２２と、このカード２２を支持する幕板２４（図２）と、幕板２４の両側縁にそれぞれ連設された第１の側板２８及び第２の側板３０と、幕板２４の下縁に連設された底板３４と、底板３４の後縁に連設された背面板３８と、背面板３８の両側縁にそれぞれ形成された係止突部４２及び第１の側板２８及び第２の側板３０の所定位置に形成され、係止突部４２を挿入して連結する係止孔４４と、第１の側板２８及び第２の側板３０の各頂部側に形成されたカード吊下げ部５２と、底板３４に設けられた一対の覗き窓５４と、各覗き窓５４に装着された一対の接眼レンズ５６と、第１の側板２８及び第２の側板３０にそれぞれ連設されたストッパ５８とを備えている。
【００２８】
カード２２は、例えば、矩形でその両縁上部側に耳部１２を有し、表面にカレンダ等の任意の情報１６が配置され、裏面に立体写真となる２つの立体表示用画像２０（図２）が配置されている。カレンダ等の任意の情報１６はカード２２に印刷されるとよい。また、立体写真はカード２２に印刷されるほか、貼り付け等により、所定の場所に配置されてもよい。立体写真は、視点を水平に左右にシフトさせて撮影した２枚の写真であり、カード裏面に、一対の接眼レンズ５６とほぼ等間隔に並べて配置される。
【００２９】
図２や図３に示すように、幕板２４は、カード２２に対応した矩形状をなし、複数枚のカード２２を重ね合わせた状態で支持しうる大きさを有している。即ち、少なくともカード２２より幕板２４の両側縁間の大きさが広く選定されている。図２に示すように、幕板２４の上縁に切り欠き６４が設けられている。この切り欠き６４は、カード２２の中央縁２３を指で掴んで、カード２２を図のように幕板２４に対して垂直に支持するとき、指を通過させるためのものである。
【００３０】
第１及び第２の側板２８、３０は、図６に示されるように、幕板２４の両側縁に、それぞれ折目線２４１、２４２を介して一体に連設されている。底板３４は、幕板２４の下縁に折目線３４１を介して一体に連設され、第１及び第２の側板２８、３０の各下縁側より狭く、かつ、幕板２４と同一幅で形成されている。底板３４の奥行きは各側板２８、３０の下縁側より狭く形成されている。また、底板３４の後縁側に折目線３４２を介して一体に形成された背面板３８は、幕板２４と一定間隔を置いて立設されている。
【００３１】
背面板３８の両側縁にそれぞれ形成された係止突部４２は、第１及び第２の側板２８、３０にそれぞれ形成された係止孔４４に挿入されて背面板３８と第１及び第２の各側板２８、３０とを連結している。幕板２４の背面側に、第１及び第２の側板２８、３０、底板３４及び背面板３８で区画された空間部が形成されている。この空間部はカード収納部として機能する。
【００３２】
背面板３８は、カード２２の耳部１２を、カード吊下げ部５２の透孔５０にはめ込んだ状態で、その上縁とカード２２の下縁とが係止し合うことなくカードを回動できる高さとされている。したがって、カード２２をカード収納部に収めたり、立体写真を見るためにカード収納部側からカード２２を底板と平行に立てる等の操作をスムーズに行うことができる。
【００３３】
各カード吊下げ部５２は、ほぼ円形状であって、第１及び第２の側板２８、３０の各頂部側で前方に突出し、円形の透孔５０が形成されている。透孔５０は、カード２２の耳部１２を緩くはめ込むことができる大きさとされている。
【００３４】
ストッパ５８は、第１及び第２の側板２８、３０に折目線５８１、５８２を介して連設された突片部を、互いに向い合せに折り曲げてなるものである。その状態は図２や図３に示すとおりである。第１及び第２の側板２８、３０の下部７１、７２は、脚部のように形成され、幕板２４、底板３４及び背面板３８を若干持ち上げ安定した状態で支持する。また、同下部７１、７２は、各カード吊下げ部５２が幕板２４より前方に形成されているので、複数枚のカード２２を幕板２４上に安定保持させ位置決めすることができるものである。
【００３５】
実施例１のカード立ては、厚手の板状素材として１枚の板紙を使用し、この板紙上に、図６に示したように、幕板２４、第１及び第２の側板２８、３０、底板３４及び背面板３８を形成して各部を切り離しあるいは折り曲げて構成される。
【００３６】
このような構成によれば、幕板２４に一連続に連設された底板３４及び背面板３８と、第１及び第２の側板２８、３０とが係止突部４２と係止孔４４によって連結されるので、第１及び第２の側板２８、３０の下部７１、７２が着座面を形成し、カード立てを立設させることができる。カード吊下げ部５２には、耳部１２によってカード２２が係止されて吊り下げられる。即ち、カードの前面が垂直状態ないし適当な傾斜状態に維持され、カレンダや写真情報として利用することができる。
【００３７】
カード立てをインテリアとして使用するときは、図１に示すように、カード２２の耳部１２が上側にある状態でカード立てを使用する。このとき、カード立ての底板３４は下になり、カード２２表面のカレンダやインテリア用の写真等１６を見ることになる。カード２２は幕板２４上に重ねて使用する。あるいは、背面板３８上に下縁を乗せて使用する。例えば、机の上には、図１に示す状態や、後で説明する図７に示す状態で使用される。もちろん特許文献１に示されたような使い方でも構わない。
【００３８】
一方、カード２２裏面の、立体写真となる２つの立体表示用画像２０を見るときは、図２に示すような状態でカード立てを双眼鏡のように持って一対の接眼レンズ５６に目を当てる。このとき、カード２２の耳部１２が下側になるようにして、カード２２を図１の矢印Ａで示すように、回動して底板３４と平行な状態で立てる。カード２２を回動するとき、幕板２４の上縁に切り欠き６４があることにより、カードの耳部側が掴み易くカード２２の回動をスムーズにする。
【００３９】
ストッパ５８は、カード２２を底板３４と平行に位置決めする役割がある。立体写真を見るとき、カード２２がストッパ５８と幕板２４上縁により、底板３４に平行に位置決めされ、安定した状態で、最適な焦点距離で立体写真を見ることができる。なお、図２に示した状態とは反対に、幕板２４を上にして、カード２２を耳部１２で吊り下げた状態で接眼レンズ５６を覗くこともできる。しかしながら、一般には、照明は天井側にある。図２の矢印Ｌに示す方向から立体表示用画像２０を照らすことにより、明るく鮮明な立体写真を見ことができる。なお、上記のストッパ無しでも、カード耳部を手で摘めば、立体写真を見る操作をすることが可能である。
【実施例２】
【００４０】
図７は、本発明のカード立ての変形例を示す斜視図である。
この図の例では、カード２２を耳部１２を用いて透孔５０に吊り下げ、その下端２２Ａを背面板３８の上縁３８Ａに乗せて支持するようにしている。カード２２の一方の面には、カレンダや絵等の任意の情報１６が配置されている。この状態ではこの情報を表示している。カード２２の他方の面、ここではその裏面には、立体写真が配置されている。この状態からカード２２をストッパ５８に突き当たるように立てると、図２の例のように立体表示用画像２０を楽しむことができるようになる。この実施例では、カード２２を斜めに傾斜させて支持するので、卓上カレンダーとして、見やすい状態になる。また、立体写真を楽しむ状態にする操作がきわめて簡単である。
【実施例３】
【００４１】
図８は、カードを支持する部分の構造を変更したカード立ての斜視図である。
上記の実施例のカード立ては、カードを透孔５０に耳部１２を用いて吊した。一方、この実施例では、図８に示すように、カード２２を直立支持板８１の枕縁８４と背面板３８のカード下支え板９１で支持する。カード下支え板９１は、背面板３８を折り曲げ線９２の部分で折り曲げて作る。支えた状態は図９で説明する。一方、幕板２４に連続する直立支持板８１は、係止突部８３を第１の側板２８の係止孔８２に差し込んで固定している。
【００４２】
図９は、図８に示したカード立ての主要部説明図である。
（ａ）は、直立支持板８１の部分の展開図である。図に示すように、直立支持板８１の部分は、図８に示した幕板２４と連続している。即ち、幕板２４の端を、折り曲げ線８５、折り曲げ線８６、折り曲げ線８７の順に折り曲げて加工する。カード立ての背面側から見たとき、折り曲げ線８５と折り曲げ線８６は山折り、折り曲げ線８７は谷折りである。
【００４３】
折り曲げたところを側面から見ると図の（ｂ）に示すようになる。図の下側が、カード立ての背面側である。折り曲げ線８７の部分を谷折りし、折り曲げ線８６の部分と折り曲げ線８５の部分を山折りして、直立支持板８１の部分を垂直に立ち上げると、カード２２の下端２２Ａを差し込む溝ができる。これにより、図のように、カード２２をカード２２が右側に向くように垂直に立てることができる。図のカード２２の右方には、すでに説明したとおり、接眼レンズが配置されている。
【００４４】
この構造によれば、カード２２を数枚まとめて立てて、順番に立体画像を楽しんだり、スライド用の立体画像フィルムを１枚立てて、図の左方から光を当てて立体画像を楽しむこともできる。不透明なカード２２に立体画像を印刷したものよりも、カード２２に２個の窓を開けて、立体画像を撮影した透明フィルムを貼り付けたもののほうが、明るくて奥行きのある立体画像を楽しむことができる。この図の実施例のように、１枚ずつ自由にカード２２を差し替えることができる構造のものは、透明フィルム式のものを使用するのに適する。
【００４５】
図の（ｃ）は、背面板３８の部分の加工前の展開図である。左右の端にそれぞれ折り曲げ線９２とカード下支え板９１が設けられている。図の（ｄ）に示すように、背面板３８を直立させたときに、折り曲げ線９２を山折りしてカード下支え板９１が底板３４と平行になるように折り曲げると、カード２２のカード下縁２２Ａがカード下支え板９１に支えられる。従って、複雑な吊り下げ機構無しに、カード２２を図７に示すように傾斜させて支持することができる。カード２２にこれまでの実施例のような吊り下げ機構がないため、簡単にカード２２を差し替えできる。同時に、カード立てもカード２２の構造も簡素化できる。
【実施例４】
【００４６】
図１０は、本発明のカード立ての別の実施例を示す斜視図である。
図８の例では、幕板２４の部分を折り曲げて直立支持板８１を設けるようにした。この例では、幕板２４の端に切り欠きを設け、Ｕ字アーム１０５を形成している。このＵ字アーム１０５にはスリット１０６が設けられており、ここにカード２２の下縁を挟み込んで接眼レンズ５６で鑑賞できるようにする。Ｕ字アーム１０５は図８に示した直立支持板８１と全く同様の機能を持つ。しかし、その構成はより一層簡素化されている。例えば、図８に示した構造では、直立支持板８１の両側に係止突部８３が設けられていて、これらを係止孔８２に差し込んで組み立てるという作業が必要であった。一方、図１０の実施例では、そうした作業が不要で、組み立てが非常に簡単な効果がある。
【００４７】
図１１は、図１０に示したカード立ての展開図である。（ａ）が全体の展開図で、（ｂ）はカード２２を垂直に立てるためのＵ字アーム１０５近傍の側断面図である。また、（ｃ）は、背面板３８の側断面図である。図に示すように、幕板２４に連なるＵ字アーム１０５を折れ線１０７で山折りして立ち上げる。これだけでカード２２を立てるための機構が完成する。即ち、図の（ｂ）に示すように、Ｕ字アーム１０５はカード２２に対してほぼ垂直に立ち上がり、スリット１０６に、立体表示用画像２０を右方に向けた状態でカード２２のカード下縁２２Ａが差し込まれる。一方、カード２２の任意の情報１６を鑑賞する場合には、図９の例と同様にして、Ｕ字アーム１０５の端と背面板３８の上端部分でカード２２を支える。この例では、図の（ｃ）に示すように、折り曲げ線１０２の部分を山折りしてカード下支え板１０１をほぼ水平に折り曲げ、カード２２のカード下縁２２Ａを支えるようにしている。以上のように、カード２２の使い方は図８の実施例と同様である。
【実施例５】
【００４８】
図１２は、実施例５のカード立ての斜視図である。
上記の実施例のカード立ては、１枚の紙を所定の形状に切って、折り曲げて制作した。しかしながら、例えば、全体をプラスチック成型により製造することもできる。図のように、幕板１２４と第１の側板１２８と第２の側板１３０と底板０３４を連結したものを製造する。カード１２２に耳部があってもよいし、無くてもよい。カードに耳部があるときは、カードを図７に示したように支持することができる。また，カードに耳部が無いときは、図のようにして支持するとよい。即ち、カード１２２は、幕板１２４の上端に連なる垂直板１８１と、底板１３４に連なる前端板１３８で支持すればよい。
【００４９】
図のようにして、幕板１２４と第１の側板１２８と第２の側板１３０とで形成したカード収容部にカード１２２を支持すれば、底板１３４を下にした状態で、カード１２２の表面の任意の情報を鑑賞できる。一方、幕板１２４の上端側には、カード１２２を底板１３４に平行に立てて支持する溝１８２を設ける。溝１８２の断面構成は、図８や図９に示したとおりのＵ字状のものが最も成型しやすい。これにより、底板１３４に設けた接眼レンズ１５６でカード裏面の立体画像を鑑賞できる。
【図面の簡単な説明】
【００５０】
【図１】実施例１のカード立てを示す斜視図である。
【図２】同カード立てを双眼鏡のようにして使用する状態を示す斜視図である。
【図３】同カード立て本体とカードを分離して示す斜視図である。
【図４】同カード立て本体を底面側からみた状態を示す斜視図である。
【図５】同カード立て本体の側面図である。
【図６】同カード立て本体の展開平面図である。
【図７】本発明のカード立ての変形例を示す斜視図である。
【図８】カードを支持する部分の構造を変更したカード立ての斜視図である。
【図９】図８に示したカード立ての主要部説明図である。
【図１０】本発明のカード立ての別の実施例を示す斜視図である。
【図１１】図１０に示したカード立ての展開図である。
【図１２】実施例５のカード立ての斜視図である。
【符号の説明】
【００５１】
１２  耳部
１６  任意の情報
２０  立体表示用画像
２２  カード
２４  幕板
２８  第１の側板
３０  第２の側板
３４  底板
３８  背面板
４２  係止突部
４４  係止孔
５０  透孔
５２  カード吊下げ部
５４  覗き窓
５６  接眼レンズ
５８  ストッパ
【図１】
2005326533.tif 000003
【図２】
2005326533.tif 000004
【図３】
2005326533.tif 000005
【図４】
2005326533.tif 000006
【図５】
2005326533.tif 000007
【図６】
2005326533.tif 000008
【図７】
2005326533.tif 000009
【図８】
2005326533.tif 000010
【図９】
2005326533.tif 000011
【図１０】
2005326533.tif 000012
【図１１】
2005326533.tif 000013
【図１２】
2005326533.tif 000014